(57)【要約】      （修正有）【課題】切断工具において、刃の動きを視認し易くする。【解決手段】切断工具は、刃７を前後に揺動させると共にその刃７をその長手方向に往復運動させる駆動機構と、刃７を照らす照明装置９と、照明装置９を、刃７の運動サイクルの整数分の１に略近く、且つ整数分の１を除くサイクルで発光させる制御手段と、を備える。照明装置９による発光サイクルは、刃７の運動サイクルの整数分の１に略近く、且つ整数分の１を除く値としたので、刃７が実際の運動方向に動いてコマ送りされているように視認することができる。【選択図】図１
2009083142.tif 000002
【特許請求の範囲】
【請求項１】
刃を前後に揺動させると共にその刃をその長手方向に往復運動させて被切断材を切断する切断工具において、
前記刃を照らす照明装置と、
前記照明装置を、前記刃の運動サイクルの整数分の１に略近く、且つ整数分の１を除くサイクルで発光させる制御手段を備えることを特徴とする切断工具。
【発明の詳細な説明】
【技術分野】
【０００１】
本発明は、刃を往復運動させて被切断材を切断する切断工具に関する。
【背景技術】
【０００２】
従来から、刃を前後に揺動させると共にその刃をその長手方向に往復運動させて、被切断材を切断する切断工具が知られている（例えば、特許文献１参照）。また、被切断材の切断部分及びその周辺を照らす照明手段を備えた切断工具が知られている（例えば、特許文献２参照）。
【０００３】
ところで、ユーザは、切断工具を用いて被切断材を切断する際、一般に、切断位置を示す線を被切断材に描く。そして、ユーザは、描いた線に沿って被切断材を切断するため切断工具の刃と描いた線とを確認しながら切断工具を動かす。従って、被切断材の切断時には、ユーザが刃の位置を認識することができるように、刃の動きが視認し易いことが望ましい。
【０００４】
しかしながら、切断工具の刃は、被切断材の切断時に、ユーザが視認困難な程度の高速で運動するので、ユーザがその時の刃の動きを視認してその位置を認識することは難しい。特許文献１及び特許文献２に記載の技術では、この問題を解決することは困難である。
【特許文献１】特開平６−２０６２０４号公報
【特許文献２】特開２００２−３０７３３０号公報
【発明の開示】
【発明が解決しようとする課題】
【０００５】
本発明は、上記の従来の問題を解決するためになされたものであり、刃の動きを視認し易くした切断工具を提供することを目的とする。
【課題を解決するための手段】
【０００６】
上記目的を達成するために請求項１の発明は、刃を前後に揺動させると共にその刃をその長手方向に往復運動させて被切断材を切断する切断工具において、前記刃を照らす照明装置と、前記照明装置を、前記刃の運動サイクルの整数分の１に略近く、且つ整数分の１を除くサイクルで発光させる制御手段を備えるものである。
【発明の効果】
【０００７】
請求項１の発明によれば、照明装置による発光サイクルを刃の運動サイクルの整数分の１と等しくすると、刃の運動中に照明により強調される位置が固定されてしまい、刃が止まっているように見えるのに対し、発光サイクルを刃の運動サイクルの整数分の１に略近く、且つそれよりも低い値とすると、刃が実際の運動方向に動いてコマ送りされているように視認することができ、また、発光サイクルが刃の運動サイクルの整数分の１に略近く、且つそれよりも高い値とすると、刃が実際の運動方向とは逆方向に動いてコマ送りされているように視認することができる。このため、刃の動きが視認し易くなる。
【発明を実施するための最良の形態】
【０００８】
以下、本発明の一実施形態に係る切断工具について図面を参照して説明する。図１乃至図３は、本実施形態に係る切断工具の構成を示す。この切断工具１は、板状のベース２と、ベース２上に設けられたハウジング３とを含む。ハウジング３は、モータ４を収容するモータ収容部３１と、モータ収容部３１の上部から突出し、ベース２に対して傾斜した把持部３２とを有する。把持部３２の上端部には、モータ４に電力を供給する電池パック５が着脱自在に装着されている。モータ収容部３１と把持部３２との交点部付近には、電池パック５からモータ４への電力供給を、ユーザによる操作に基づいてオン／オフする電源スイッチ６が設けられている。モータ４は直流モータから成る。
【０００９】
そして、切断工具１は、被切断材を切断するための刃７と、モータ４の回転力を基に刃７を駆動させる駆動機構８と、刃７を照らす照明装置９と、照明装置９を発光制御する制御手段１０と、を備える。照明装置９及び制御手段１０は、刃７による被切断材の切断時に、刃７の位置が視認し易くなるように光を刃７に照射する。
【００１０】
刃７は一方向に長い略矩形状である。刃７には、複数の鋸刃から成る切れ刃部７ａが形成されており、切れ刃部７ａは少なくとも刃７の長手方向に設けられている。刃７は、その長手方向がベース２と略直交するように配置されており、ベース２に設けられたスリットを貫通し、刃先がベース２の下面から突出している。刃７は、駆動機構８により駆動されて、前後に揺動すると共に、刃７の長手方向に往復運動する。駆動機構８による刃７の駆動の詳細は後述する。上記の揺動及び往復運動により、刃７の運動はオービタル運動となる。この刃７のオービタル運動が繰り返されることで、ベース２下方に配置される被切断材が切断される。ここで、刃７のオービタル運動が１分間に行われる回数を、刃７の運動サイクルと定義する。
【００１１】
駆動機構８は、モータ４の回転軸に固定された駆動歯車８１と、駆動歯車８１と噛み合うように設けられた従動歯車８２と、従動歯車８２が装着されて固定された回転軸８３と、回転軸８３に支持される略Ｌ字状の揺動アーム８４と、を含む。回転軸８３には、回転軸８３の軸心に対して所定量だけ偏芯した偏芯カム８３ａが形成されている。揺動アーム８４は、その基端（図２で図中上端）に挿通孔８４ａを有する。偏芯カム８３ａは挿通孔８４ａに挿通されており、挿通孔８４ａ内で回転自在である。また、揺動アーム８４は、挿通孔８４ａが設けられた辺の略中央部に、その辺に沿って形成された長孔８４ｂを有する。長孔８４ｂには、ハウジング３から突設された揺動支点部３３が挿通されている。揺動アーム８４の先端（図２で図中左端）には、刃７が取り付けられる。
【００１２】
照明装置９は、ＬＥＤ等の発光素子により構成される。この発光素子は、ベース２上で、刃７の側面に光照射可能な位置に配置されている。制御手段１０は、照明装置９を点灯させる点灯回路と、この点灯回路による照明装置９の点灯サイクルすなわち照明装置９による発光サイクルを制御する発光サイクル制御回路等により構成され、電池パック５から供給される電力を基に駆動する。以下、発光サイクルは、１分間に発光素子が点滅する回数を示すものとする。上記の発光サイクル制御回路は、発光サイクルを、刃７の運動サイクルの整数分の１に略近く、且つ整数分の１を除く値とし、上記の点灯回路は、その発光サイクルでもって照明装置９を点滅させる。発光サイクルは、刃７の運動サイクルに基づいて予め設定されている。刃７の運動サイクルが例えば略６０００［ｒｐｍ］である場合、発光サイクルは、例えば略２９００とされ、刃７の運動サイクルの２分の１よりも略３〜５％低い値に設定されている。
【００１３】
照明装置９の発光素子がＬＥＤにより構成される場合、制御手段１０の発光サイクル制御回路は、ＬＥＤの発光サイクル制御のためパルス列信号を生成し、そのパルス列信号の周波数を上述の発光サイクルと略等しい値とし、そのパルス列信号を制御手段１０の点灯回路に送出する。その点灯回路は、発光サイクル制御回路から送出されるパルス列信号に基づいてＬＥＤを点滅させる。
【００１４】
なお、制御手段１０の発光サイクル制御回路は、電池パック５からモータ４への印加電圧を測定してその印加電圧からモータ４の回転軸の回転数を算出し、算出した回転数、及び駆動歯車８１と従動歯車８２との間の歯車比に基づいて揺動アーム８４の運動サイクルすなわち刃７の運動サイクルを求め、求めた運動サイクルに基づいて照明装置９による発光サイクルを制御するように構成されていても構わない。
【００１５】
図４（ａ）乃至（ｅ）は、刃７が駆動機構８により駆動されるときの様子を示す。同図には、（ａ）から（ｅ）の順番で、駆動機構８の回転軸８３が図中反時計回りに略４５度回転するごとの駆動機構８の様子が図示される。同図（ａ）は、回転軸８３が同図（ｅ）の状態から図中反時計回りの方向に略１８０度回転したときの状態を示す。駆動歯車８１は、モータ４の回転軸の回転により回転駆動し、従動歯車８２を従動回転させる。従動歯車８２の回転に伴い、回転軸８３の偏芯カム８３ａは揺動アーム８４の挿通孔８４ａ内で回転し、揺動アーム８４が図中上下方向に往復運動する。さらに、偏芯カム８３ａの回転に伴い、揺動アーム８４は、揺動支点部３３を支点として図中左右方向に揺動する。従って、刃７は、図中左右方向すなわち刃７の進行方向における前後方向に揺動すると共に、図中上下方向すなわち刃７の長手方向に往復運動する。その結果、刃７の運動は、刃７の刃先が楕円の軌跡を描く運動、すなわちオービタル運動となる。この刃７のオービタル運動により被切断材が切断される。
【００１６】
図５は、照明装置９による発光サイクルと、視認される刃７の運動方向との関係を示す。ここで、刃７の運動サイクルをｆ０とし、任意の整数をｎとする。発光サイクルがｆ０／ｎである場合、刃７のオービタル運動中に照明により強調される位置が固定されてしまい、刃７が止まっているように見える。また、発光サイクルがｆ０／ｎよりも高く、且つｆ０／（ｎ−１／２）よりも低い値である場合には、刃７のオービタル運動中に照明により強調される位置がずれていき、刃７の動きがコマ送りのように視認可能となる。しかしながら、この場合には、刃７が実際の運動方向と逆方向に運動しているように見える。これに対して、発光サイクルがｆ０／ｎよりも低く、且つｆ０／（ｎ＋１／２）よりも高い値である場合には、上記と同様に刃７の動きがコマ送りのように視認可能となると共に、刃７は実際の運動方向と同一方向にすなわち正常に運動しているように視認される。そこで、発光サイクルは、ｆ０／ｎよりも低く且つｆ０／（ｎ＋１／２）よりも高い値に設定されている。
【００１７】
発光サイクルとｆ０／ｎとの差分すなわちそれらの近さの程度は、ｆ０／ｎに対する割合でもって表すと、略３〜５［％］である。上記の割合がｆ０／ｎの略３［％］よりも低くなると、コマ送りのように視認される刃７の運動はそのサイクルが低くなる。このため、視認される刃７の運動において刃７がオービタル運動して元の位置に戻るのに時間が掛かるので、刃７の動きが視認し難くなる。また、上記の割合がｆ０／ｎの略５［％］よりも高くなると、コマ送りのように視認される刃７の運動はそのサイクルが高くなる。このため、いわゆるコマ数が減り、刃７の動きの視認が困難となる。
【００１８】
上記のように構成された切断工具１においては、被切断部材の切断時に、照明装置９により、刃７の運動サイクルの整数分の１を除いてそれに近く、且つそれよりも低い発光サイクルでもって刃７に光が照射される。このため、視認不可能な程度の高速で刃７がオービタル運動する場合においても、図６に示されるように、いわゆるストロボ効果により刃７の動きがコマ送りのように見える上、刃７はその運動方向と同一方向にすなわち正常に運動しているように視認される。従って、刃７の動きが視認し易くなる。また、発光サイクルを刃７の運動サイクルの整数分の１から低くする割合はその略３〜５［％］であるため、刃７のオービタル運動における一連の動きが視認し易くなる。その結果、被切断部材の切断時において、ユーザが刃７の位置を認識し易くなり、被切断材に描いた線に合わせて被切断部材を切断することが容易となる。
【００１９】
なお、本発明は、上記の実施形態の構成に限定されるものでなく、使用目的に応じ、様々な変形が可能である。例えば、照明装置９による発光サイクルは、刃７の運動サイクルの整数分の１よりもその略３〜５［％］分だけ高く設定されていてもよい。
【図面の簡単な説明】
【００２０】
【図１】本発明の一実施形態に係る切断工具の斜視図。
【図２】上記切断工具の駆動機構部分の断面図。
【図３】上記切断工具のブロック図。
【図４】（ａ）〜（ｅ）は上記切断工具の刃及び駆動機構の動作を説明するための断面図。
【図５】上記照明装置による発光サイクルを説明するための図。
【図６】上記切断工具における照明装置から刃への光照射による効果を説明するための図。
【符号の説明】
【００２１】
１  切断工具
７  刃
９  照明装置
１０  制御手段
【図１】
2009083142.tif 000003
【図２】
2009083142.tif 000004
【図３】
2009083142.tif 000005
【図４】
2009083142.tif 000006
【図５】
2009083142.tif 000007
【図６】
2009083142.tif 000008